【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  誘電体ブロックと、前記誘電体ブロックの一主面に形成した複数のパッチアンテナ電極と、前記誘電体ブロックの側壁に形成した１つまたは複数の給電端子電極と、前記給電端子電極に接続されて前記パッチアンテナ電極に電磁気的に結合する１つまたは複数の給電線路電極を有し、前記給電線路電極は、給電線路電極から見た入力インピーダンスの電圧定在波比（ＶＳＷＲ）が１となるように給電線路電極の長さ（Ｌ）および給電線路電極の誘電体ブロック底面からの高さ（Ｈ）を選択して前記誘電体ブロックの内層に実装されていることを特徴とする多共振アンテナ。
【請求項２】  誘電体ブロックの底面にグランド電極を有することを特徴とする請求項１記載の多共振アンテナ。
【請求項３】  誘電体ブロックの側面に形成され、グランド電極に接続された１つまたは複数のグランド端子電極を有することを特徴とする請求項２記載の多共振アンテナ。
【請求項４】  誘電体ブロックの底面にグランド電極と給電端子電極を分離する間隙からなる分離素子を有することを特徴とする請求項２記載の多共振アンテナ。
【請求項５】  誘電体ブロックの側面に表面実装時の固定端子となる給電端子電極を有することを特徴とする請求項１記載の多共振アンテナ。
【請求項６】  パッチアンテナ電極は円偏波を送受信することを特徴とする請求項１記載の多共振アンテナ。
【請求項７】  誘電体ブロックの底部または上部に設けられた窪みからなる給電線路溝を有し、給電線路電極が前記給電線路溝内に配置されることを特徴とする請求項１記載の多共振アンテナ。
【請求項８】  前記誘電体ブロックの一主面にあり第１周波数帯の電波の送受信に供される第１のパッチアンテナ電極と、前記第１のパッチアンテナと同一面にあり間隙により分離されて前記第１のパッチアンテナ電極を内包し、第１周波数帯より低い第２周波数帯の電波の送受信に供される第２のパッチアンテナ電極と、前記第１のパッチアンテナ電極に電磁気的に結合する第１の給電線路電極と、前記第２のパッチアンテナ電極に電磁気的に結合する第２の給電線路電極と、前記誘電体ブロックの側壁に形成され、前記第１の給電線路電極に接続された第１の給電端子電極と、前記第１の給電端子電極とは異なる側壁に形成され、前記第２の給電線路電極に接続された第２の給電端子電極を有することを特徴とする請求項１記載の多共振アンテナ。
【請求項９】  第１の給電線路電極と第２の給電線路電極の誘電体ブロック底面からの高さが等しいことを特徴とする請求項８記載の多共振アンテナ。
【請求項１０】  第１のパッチアンテナ電極および第２のパッチアンテナ電極が円偏波用パッチアンテナであることを特徴とする請求項８記載の多共振アンテナ。
【請求項１１】  第１のパッチアンテナ電極の一部に切り欠きを設けたことを特徴とする請求項１０に記載の多共振アンテナ。
【請求項１２】  誘電体ブロックの第２のパッチアンテナ電極画形成された面と同一面に形成され、間隙を隔てて前記第２のパッチアンテナ電極と電磁気的に結合する第２の給電線路電極を有することを特徴とする請求項８記載の多共振アンテナ。
【請求項１３】  前記誘電体ブロックの一主面に形成され第１周波数帯の電波の送受信に供される第１のパッチアンテナ電極と、前記第１のパッチアンテナと同一面に形成され前記第１のパッチアンテナ間隙と分離されて前記第１のパッチアンテナ電極を内包し、第１周波数帯より低い第２周波数帯の電波の送受信に供される第２のパッチアンテナ電極と、前記第１のパッチアンテナ電極及び前記第２のパッチアンテナ電極に電磁気的に結合する給電線路電極と、前記誘電体ブロックの側壁にあり前記第１の電線路電極に接続された給電端子電極とを有することを特徴とする請求項１記載の多共振アンテナ。
【請求項１４】  前記誘電体ブロックの一主面にあり第１周波数帯の電波の送受信に供される第１のパッチアンテナ電極と、前記誘電体ブロックの一主面にあり第１のパッチアンテナ電極と間隙により分離されて前記第１のパッチアンテナ電極を内包し、第１周波数帯より低い第２周波数帯の電波の送受信に供される第２のパッチアンテナ電極と、前記誘電体ブロックの一主面にあり第２のパッチアンテナ電極と間隙により分離されて前記第２のパッチアンテナ電極を内包し、第２周波数帯より低い第３周波数帯の電波の送受信に供される第３のパッチアンテナ電極と、前記第１のパッチアンテナ電極に電磁気的に結合する第１の給電線路電極と、前記第２のパッチアンテナ電極に電磁気的に結合する第２の給電線路電極と、前記第３のパッチアンテナ電極に電磁気的に結合する第３の給電線路電極と、前記第１の給電線路電極に接続された第１の給電端子電極と、前記第２の給電線路電極に接続された第２の給電端子電極と、前記第３の給電線路電極に接続された第３の給電端子電極を有することを特徴とする請求項１記載の多共振アンテナ。
【請求項１５】  第１のパッチアンテナ電極および第３のパッチアンテナ電極に電磁気的に結合する給電線路電極と、前記給電線路電極に接続された給電端子電極を有することを特徴とする請求項１４記載の多共振アンテナ。
【請求項１６】  第１、第２のパッチアンテナ電極に電磁気的に結合する給電線路電極を有することを特徴とする請求項８または１４記載の多共振アンテナ。
【請求項１７】  第１、第２、第３のパッチアンテナ電極に電磁気的に結合する給電線路電極を有することを特徴とする請求項１４記載の多共振アンテナ。
【請求項１８】  第２、第３のパッチアンテナ電極に電磁気的に結合する給電線路電極を有することを特徴とする請求項１４記載の多共振アンテナ。
【請求項１９】  前記誘電体ブロックの一主面にあり間隙により分離されて前記第３のパッチアンテナ電極を内包し第３周波数帯より低い第４周波数帯の電波の送受信に供する第４のパッチアンテナ電極と、前記第４のパッチアンテナ電極に電磁気的に結合する第４の給電線路電極と、前記誘電体ブロックの側壁にあり前記第１の電線路電極に接続された第１の給電端子電極と、前記第１の給電端子電極とは異なる側壁にあり前記第２の給電線路電極に接続された第２の給電端子電極と、前記第１および前記第２の給電端子電極とは異なる側壁にあり前記第３の給電線路電極に接続された第３の給電端子電極と、前記第１、第２および第３の給電端子電極とは異なる側壁にあり前記第４の給電線路電極に接続された第４の給電端子電極を有することを特徴とする請求項１４記載の多共振アンテナ。
【請求項２０】  第１周波数帯の電波の送受信に供される第１のパッチアンテナ電極と、前記誘電体ブロックの一主面にあり前記第１のパッチアンテナ電極と間隙により分離されて前記第１のパッチアンテナ電極を内包し、第１周波数帯より低い第２周波数帯の電波の送受信に供される第２のパッチアンテナ電極と、前記第１のパッチアンテナ電極に接続され前記誘電体ブロックを厚さ方向に貫通して配された第１の給電ピン電極と、前記第２のパッチアンテナ電極に電磁気的に結合し、前記誘電体ブロックの表面または内層にある第２の給電線路電極と、前記誘電体ブロックの側壁にあり前記第２の給電線路電極に接続された第２の給電端子電極を有することを特徴とする請求項１記載の多共振アンテナ。
【請求項２１】  請求項１に記載の給電端子電極、請求項８に記載の第２の給電端子電極、請求項１４に記載の第３の給電端子電極、請求項１９に記載の第４の給電端子電極または請求項２０に記載の第２の給電端子電極は、表面実装時の固定端子を兼ねることを特徴とする多共振アンテナ。
【請求項２２】  誘電体ブロックは、水平断面が四角形の板状であることを特徴とする請求項１、８、１３、１４、１９、２０のいずれかに記載の多共振アンテナ。
【請求項２３】  給電線路溝の形状が直線状であることを特徴とする請求項７記載の多共振アンテナ。
【請求項２４】  給電線路溝の形状が十字状であることを特徴とする請求項７記載の多共振アンテナ。
【請求項２５】  誘電体ブロックの底面に付けられた金属薄板からなり誘電体ブロックの底部にある給電線路溝を覆いアンテナのグランドとなるグランド電極を有することを特徴とする請求項７記載の多共振アンテナ。
【請求項２６】  内層電極として給電線路電極を備えた多層基板からなる誘電体ブロックと、サイドメタライズによる給電端子電極を有することを特徴とする請求項１記載の多共振アンテナ。
【請求項２７】  多層基板からなる誘電体ブロックと、前記誘電体基板を厚さ方向に貫通するスルーホールからなる給電ピン電極を有することを特徴とする請求項２０記載の多共振アンテナ。
【請求項２８】  内層電極として給電線路電極を備えた多層基板からなる誘電体ブロックと、前記誘電体ブロックを厚さ方向に貫通する給電線路端に接続されスルーホールからなる給電端子電極を有することを特徴とする請求項１記載の多共振アンテナ。
【請求項２９】  請求項１乃至２８のいずれかに記載の多共振アンテナと、前記多共振アンテナを実装する回路基板と、前記多共振アンテナを覆うアンテナカバーを有することを特徴とするアンテナモジュール。
【請求項３０】  請求項１乃至２８のいずれかに記載の多共振アンテナを用いたことを特徴とする無線装置。